(57)【要約】【課題】保持用ホルダー内において簡単な改良を施すことで、糸取付部材をガタツキなく、回転できる釣り竿を提供する。【解決手段】糸取付部材４の基端部を、穂先竿２の竿先端に取り付け固定してある保持用ホルダー５に挿通支持させて、糸取付部材４を基端部の軸線回りで回動自在に支持する。保持用ホルダー５内において糸取付部材４の基端部４Ｃと穂先竿２の竿先端との間に二つの硬質ボール６を装入し、二つの硬質ボール６の間に互いを遠ざける方向に付勢するコイルバネ８を介在させてある。【選択図】図１
2011067118.tif 000002
【特許請求の範囲】
【請求項１】
糸取付部材に、釣り糸が取り付けられる糸取付部とその糸取付部を支持する基端部とを備え、前記糸取付部材の前記基端部を、穂先竿の竿先端に取り付け固定してある保持用ホルダーに挿通支持させて、前記糸取付部材を前記基端部の軸線回りで回動自在に支持してある釣り竿の竿先構造であって、
前記保持用ホルダー内において前記糸取付部材の基端部と前記穂先竿の竿先端との間に二つの転がり軸受体を、互いに当接する状態で装入してある釣り竿の竿先構造。
【請求項２】
糸取付部材に、釣り糸が取り付けられる糸取付部とその糸取付部を支持する基端部とを備え、前記糸取付部材の前記基端部を、穂先竿の竿先端に取り付け固定してある保持用ホルダーに挿通支持させて、前記糸取付部材を前記基端部の軸線回りで回動自在に支持してある釣り竿の竿先構造であって、
前記保持用ホルダー内において前記糸取付部材の基端部と前記穂先竿の竿先端との間に二つの転がり軸受体を装入し、
前記二つの転がり軸受体の間に互いを遠ざける方向に付勢する付勢手段を介在させてある釣り竿の竿先構造。
【請求項３】
前記保持用ホルダー内において、前記転がり軸受体と穂先竿の竿先端との間に、ストッパ体を設け、前記ストッパ体を前記転がり軸受体に当接させるとともに、前記ストッパ体と前記穂先竿の竿先端との間に、互いを遠ざける方向に付勢する付勢手段を備えてある請求項１記載の釣り竿の竿先構造。
【発明の詳細な説明】
【技術分野】
【０００１】
本発明は、釣り糸が取り付けられる糸取付部とその糸取付部を支持する基端部とを備えた糸取付部材の前記糸取付部を、穂先竿の竿先端に取り付け固定してある保持用ホルダーの挿通孔に挿通支持させて、前記糸取付部材を前記基端部の軸線回りで回動自在に支持してある釣り竿に関する。
【背景技術】
【０００２】
上記構成においては、針掛りした魚の動きに合わせて竿を横向きに寝かせたり竿を立てたりする操作を行った場合に、糸取付部材がその竿の動きに合わせて自在に回転し釣り糸の絡み付きを抑制すべく、糸取付部材を前記基端部の軸線回りで回動自在に支持する為に、保持用ホルダー内において、糸取付部材の基端部と穂先竿の先端との間に転がり軸受体としての硬質ボールを介在させていた（例えば特許文献１参照）。
【先行技術文献】
【特許文献】
【０００３】
【特許文献１】特開２００９−１６５３５８号公報（段落番号〔００１７〕、図１）
【発明の概要】
【発明が解決しようとする課題】
【０００４】
しかし、穂先竿の先端に直接硬質ボールが接触し、穂先竿の先端面に強く押し付けられてその硬質ボールが転動することとなるので、長期使用の間には、穂先竿の先端面の平滑性が損なわれることもあり、その為に、硬質ボールの回転が不安定になり、そのこと自体が、糸取付部材の回転抵抗となる虞も考えられ、改善の余地があった。
【０００５】
本発明の目的は、保持用ホルダー内において簡単な改良を施すことで、糸取付部材をガタツキなく回転させることのできる釣り竿を提供する点にある。
【課題を解決するための手段】
【０００６】
〔構成〕
請求項１に記載の本願発明の特徴構成は、前記保持用ホルダー内において前記糸取付部材の基端部と前記穂先竿の竿先端との間に二つの転がり軸受体を、互いに当接する状態で装入してある点にあり、その作用効果は次の通りである。
【０００７】
〔作用〕
つまり、糸取付部材の基端部に接触する硬質ボールは、直接穂先竿の先端に接触することなく、別個の硬質ボールに当接することとなるので、穂先竿の先端の影響を受けることなく、かつ、硬質ボール同士の接触によって、糸取付部材の安定した回転を許容する。
【０００８】
〔効果〕
このように、二つの硬質ボールを糸取付部材と穂先竿の先端との間に装入することによって、長期に亘って円滑な糸取付部材の回転作動を得ることができた。
【０００９】
〔構成〕
本発明のうちの請求項２に記載の発明では、糸取付部材に、釣り糸が取り付けられる糸取付部とその糸取付部を支持する基端部とを備え、前記糸取付部材の前記基端部を、穂先竿の竿先端に取り付け固定してある保持用ホルダーに挿通支持させて、前記糸取付部材を前記基端部の軸線回りで回動自在に支持してある釣り竿の竿先構造であって、
前記保持用ホルダー内において前記糸取付部材の基端部と前記穂先竿の竿先端との間に二つの転がり軸受体を装入し、
前記二つの転がり軸受体の間に互いを遠ざける方向に付勢する付勢手段を介在させてある点にあり、その作用効果は次の通りである。
【００１０】
〔作用効果〕
このような付勢手段を二つの転がり軸受体の間に介在させることによって、穂先竿に取付られている保持用ホルダーにガタ付きが生じる状況となっても、この付勢手段で付勢力を及ぼしそのガタ付きを抑制することができるので、保持ホルダーのガタ付きに起因する違和感を感じることなく、釣り人は釣り操作を行うことができる。
【００１１】
〔構成〕
請求項３に係る本願発明の特徴構成は、上記請求項１記載の発明において、前記保持用ホルダー内において、前記転がり軸受体と穂先竿の竿先端との間に、ストッパ体を設け、前記ストッパ体を前記転がり軸受体に当接させるとともに、前記ストッパ体と前記穂先竿の竿先端との間に、互いを遠ざける方向に付勢する付勢手段を備えてある点にあり、その作用効果は次の通りである。
【００１２】
〔作用効果〕
ストッパ体で一方の転がり軸受体を受け止め、ストッパ体と穂先竿の先端との間に付勢手段を介在させてあるので、穂先竿と保持ホルダーとの間でガタ付きが生じる状態になったとしても、この付勢手段で付勢力を及ぼしそのガタ付きを抑制することができるので、保持ホルダーのガタ付きに起因する違和感を感じることなく、釣り人は釣り操作を行うことができる。
しかも、付勢手段を介在させる位置を、二つの転がり軸受体の間に装入したものでもないので、付勢手段が転がり軸受体を保持する状態が生じることはなく、転がり軸受体同士は直接接触する状態を維持しているので、糸取付部材の安定した回転を確保できる。
【図面の簡単な説明】
【００１３】
【図１】糸取付部材を穂先竿の先端部に取り付け、二つの硬質ボールを互いに当接させる状態で設けている状態を示す縦断側面図である。
【図２】二つの硬質ボールの間にコイルバネを介在させている状態を示す縦断側面図である。
【図３】二つの硬質ボールとは別に、ストッパ体と穂先竿の先端とのの間にコイルバネを介在させている状態を示す縦断側面図である。
【図４】糸取付部材としてリリアンを使用したものに、本願発明を適用した状態を示す縦断側面図である。
【発明を実施するための形態】
【００１４】
〔第１実施形態〕
図１には鮎竿や渓流竿などの釣り竿１が示されており、この釣り竿１は、先細りの中実棒状に形成した穂先竿２の先端部に、釣り糸３が取り付けられる糸取付部材４を、釣り竿１の軸線Ｘ周りに相対回動可能に備えて構成されている。
【００１５】
図示は省略するが、穂先竿２は、軸線に沿って束ねたガラス強化繊維の束（５００本〜１０００本）に、熱硬化性樹脂を含浸させた後、ダイスより引き抜き、所定長さに裁断して中実棒状に形成し、その先端側ほど細くするための研削加工などを施して形成されている。
【００１６】
ところで、穂先竿２の素材には、炭素繊維などを採用することも可能であるが、ここでは炭素繊維などに比較して弾性率が低く、柔軟性及び靱性の高いガラス繊維を採用してある。
【００１７】
図１〜３に示すように、糸取付部材４は、釣り糸３が結び付けられる小径円柱状の糸取付部４Ａと、この糸取付部４Ａからの釣り糸３の抜け落ちを防止する抜止部４Ｂと、穂先竿２に連結される大径円柱状の基端部４Ｃとを有するように形成されており、その基端部４Ｃが、筒状に形成された保持用ホルダー５を介して穂先竿２に連結されている。
【００１８】
図１に示すように、保持用ホルダー５は、その先端部に、糸取付部材４の糸取付部４Ａが挿通される挿通孔５Ａと、糸取付部材４の基端部４Ｃを抜け止め保持する保持部５Ｂとを備え、その先端部に糸取付部材４の基端部４Ｃを内嵌させた状態で、その竿元側を穂先竿２の先端側に外嵌した後、その嵌合部の所定箇所が、穂先竿２に形成した一対の凹部２Ａにカシメ処理によって係入されることで、穂先竿２の先端部に糸取付部材４を釣り竿１の軸線Ｘ周りに相対回動可能に連結保持する。
保持用ホルダー５としては、アルミニュウムやチタン等の軽量金属が使用される。
【００１９】
保持用ホルダー５の内部において、穂先竿２の先端と糸取付部材４の基端部４Ｃとの間には、糸取付部材４の回転抵抗を低減させる転がり軸受体としての硬質のボール６が二個介装されている。
二個の硬質ボール６同士は、互いに当接する状態で保持用ホルダー５内に収納され、前方側の硬質ボール６は、糸取付部材４の基端部４Ｃに当接し、後方の硬質ボール６はその硬質ボール６と穂先竿２の竿先端との間に新たに介在されているストッパ体７とに当接する状態で配設されている。
【００２０】
硬質ボール６は、ステンレス製の鋼球、セラミック製の球、炭素鋼製の球、超硬合金製の球等が使用され、表面にクロムメッキ等の滑りを良くする表面処理が施されることもある。
ストッパ体７としては、金属製又は樹脂製の板状体が使用される。
図１及び図２に示すように、保持用ホルダー５の保持部５Ｂの内側面と糸取付部材４の基端部４Ｃとの間に、滑りワッシャ１１が設けてあり、摩擦抵抗の低減を図る構成を採っている。滑りワッシャ１１としては、滑り性の高い金属板、又は、樹脂板を使用する。
【００２１】
上記のように、糸取付部材４の基端部４Ｃと穂先竿２の先端との間に互いに当接する状態で装入されている硬質ボール６を設けてあるので、穂先竿２の摩擦抵抗の影響を極力少なくした状態で、糸取付部材４の軸線Ｘまわりでの回転を円滑に行わせることができる。
【００２２】
〔第２実施形態〕
ここでは、第１実施形態の構成に、更に、付勢手段としてコイルバネ８を設ける構成について説明する。図２に示すように、二つの硬質ボール６同士の間にコイルバネ８を介在させて、両硬質ボール６を互いに離間する方向に、付勢すべく構成する。
このような構成によって、保持用ホルダー５を穂先竿２の凹部２Ａにカシメ装着した部分に緩みが生じたとしても、保持用ホルダー５自体のガタツキが抑制されて、糸取付部材４の回転が不安定になることは少ない。
【００２３】
〔第３実施形態〕
第１実施形態で記載した構成に、付勢手段としてのコイルバネ８を導入する構成について説明する。図３に示すように、糸取付部材４の基端部４Ｃと穂先竿２の先端側に位置するストッパ体７との間には、第１実施形態と同様に、二つの硬質ボール６が互いに当接する状態で装入されている。
一方、穂先竿２の先端側に配置されているストッパ体７とその穂先竿２の先端との間には、付勢手段としてのコイルバネ８が介在されている。
【００２４】
このような構成によって、前記したように、保持用ホルダー５を穂先竿２の凹部２Ａにカシメ装着した部分に緩みが生じたとしても、保持用ホルダー５自体のガタツキが抑制されて、糸取付部材４の回転が不安定になることは少ない。
また、第２実施形態で示したように、コイルバネ８を両硬質ボール６の間に挟み込んだ構成を採る場合に比べて、コイルバネ８自体が硬質ボール６を保持する必要性が少ないので、コイルバネ８の負担が軽減される。
【００２５】
〔第４実施形態〕
ここでは、糸取付部材４として、リリアン製の糸取付部４Ｅを採用したものについて説明する。図４に示すように、糸取付部材４を、リリアン製の糸取付部４Ｅと、保持用ホルダー５内に収納された円盤状の基端部４Ｃと、基端部４Ｃから竿先側に向けて延出された棒状の連結部４Ｄとで構成し、連結部４Ｄの先端部分に膨出部４ｄを形成して、糸取付部４Ｅを膨出部４ｄに外嵌接着固定してある。
【００２６】
基端部４Ｃと保持用ホルダー５の保持部５Ｂの内周壁面との間には、Ｏリング等の摩擦低減部材９が装着してあり、糸取付部４Ａが基端部４Ｃの軸線回りで円滑に回転できるように構成してある。
糸取付部材４の基端部４Ｃとストッパ体７との間に、第２実施形態と同様に二つの硬質ボール６とその硬質ボール６の間に付勢手段としてのコイルバネ８を装入する。
【００２７】
〔別実施形態〕
〔１〕  転がり軸受体６としては、必ずしも、球状のボールでなくてもよく、ローラを周方向に複数個配置したものであってもよい。
〔２〕  付勢手段としては、コイルバネ６でなくともよく、板ばね、サラバネ等を複数枚重ねて使用してもよい。
〔３〕  ストッパ体７は特になくてもよく、転がり軸受体６を直接穂先竿２の竿先端に当接させる構成を採ってもよい。
【産業上の利用可能性】
【００２８】
本発明は、鮎竿や渓流竿などの釣り竿に適用可能である。
【符号の説明】
【００２９】
２          穂先竿
３          釣り糸
４          糸取付部材
４Ａ，４Ｅ  糸取付部
４Ｃ        基端部
５          保持用ホルダー
６          硬質ボール（転がり軸受体）
７          ストッパ体
８          コイルバネ（付勢手段）
Ｘ          軸線
【図１】
2011067118.tif 000003
【図２】
2011067118.tif 000004
【図３】
2011067118.tif 000005
【図４】
2011067118.tif 000006